(57)【要約】【課題】従来の杖は、杖を使用している手を他の事に使用したいと望む時には、杖を壁などに立て掛けるか、杖の支柱部に逆Ｕ字形フック等を取り付けて手摺りなどに掛けたりしているが、最も身近な自分の身体には立て掛けることは出来なかった、それは杖の把持部は滑らかで滑りやすく引っ掛かりが無く、ズボンの布地もすべすべで、人体の胴回りは丸いからである。【解決手段】把持部１の端部に一段下がった股当て具２を連結一体化した形状になっている、杖を使用している手を他の事に使用したいと望む時は、前記股当て具２を股に宛がえば楽に股部に挟まり倒れない、と同時に自分の体重を僅かに前方に乗せて行くと両足と杖とが自分の骨盤を支える三脚となって上体のふらつきを抑え全身がリラックスして立ったまま休息することができる、しかし和服姿の場合は股部への立て掛けができない、この場合は長くなった把持部全体を利用して肩に掛けることができる。【選択図】図１
2008093397.tif 000002
【特許請求の範囲】
【請求項１】
杖の把持部全体の形状を把持部１に股当て具２を連結一体化した形状にせしめ、該股当て具２の部位が、前記把持部１の上面の高さよりも３ｃｍ程下方に落ち窪み段差を付け、股に宛がい易く杖をあまり斜めにしなくても、前記股当て具２が楽に股部に挟まり確実に杖を身体に立て掛けることができる、と同時に自分の体重を該股当て具２の上面の股当て面５に僅かに乗せて行くと両足と杖とが自分の骨盤を支える三脚効果となって体重をバランスよく受け持ちながら、上体のふらつきを抑え全身をリラックスさせて安定した良い立ち姿勢を保持でき、立ったままで休息をとることが出来るようにしたことを特徴とする杖。
【請求項２】
把持部１に股当て具２を連結一体化したため把持部全体の長さが大きくなっていることを利用して、該股当て具２の下面を自分の肩に掛け易いような形状にした肩掛け面６を設けた請求項１記載の杖。
【発明の詳細な説明】
【技術分野】
【０００１】  本発明は、一般に使用されている杖の機能的改良に関する。
【背景技術】
【０００２】  従来の杖では、杖を使用している手を他の事に使用したいと望む時には、杖を壁などに立掛けたりしているが壁を滑って杖が転倒してしまう事が多々ある、このため把持部に滑り止め用の布やゴムを巻いて滑りを防止しているものがある（例えば、特許文献１参照。）。
また、杖の把持部に面ファスナーを巻き付け、他の一方の面ファスナーを着衣に縫い付けて両者を合着する事によって着衣から杖を吊り下げて保持するものもある（例えば、特許文献２参照。）。
また、杖の支柱部に逆Ｕ字形フックを固定し手摺りやテーブル等の平面上に掛けるようにしたものがある（例えば、特許文献３参照。）。
また、２個のフックからなる本体に紐を付けて、首などに掛けられるようにして、そのフックに杖の把持部を掛けて自分の身体に吊るすようにしたものもある（例えば、特許文献４参照。）。【０００３】
【特許文献１】  特開２００１−２９２８１８号公報
【特許文献２】  実用登録Ｕ３０８５１７０号公報
【特許文献３】  特開２００２−１７７０２７号公報
【特許文献４】  特開２００４−２０９００１号公報
【発明の開示】
【発明が解決しようとする課題】
【０００４】  以上に述べた従来の杖では、杖を使用している手を他の事に使用したいと望む時には、いずれの場合も杖を壁などに立掛けるか、何かに吊り下げるかしている、即ち杖として把持部を握っていた手を離した時点で体重のかからない杖は杖としての役目を止めて、立掛けられたまま、吊るされたままの言わば休眠の状態になっていた。【０００５】  本発明は、このような従来の杖のように把持部が手に握られている時のみ、杖としての働きをさせているのでは無く、即ち歩行時に働く杖は勿論のこと、立ち止まって本発明の股当て具２を股部に宛がい把持部１から手を離した時点では杖の倒れ止めとして働いてもらうと同時に、そのまま少し体の重心を前方に加えれば骨盤の言わば、つっかい棒役となって上体のふらつきを抑えリラックスして全身を休息させてくれる働きを持つ杖に３役を兼ね備えさせ無駄な休眠をさせずフル活用できる杖を実現させることを目的とする。【０００６】  しかし、本発明の股当て具付き杖は和服やタイトスカートの女性等の場合には杖を股部に宛がい立掛けることができない問題が残されるが、把持部１と股当て具２の連結によって把持部全体の長さが大きくなっていることを利用して肩に掛ける方法についても実現させるべき目的である。
【課題を解決するための手段】
【０００７】  そして、本発明は上記目的を達成するために杖の把持部の形状を図１の如くにした、即ち把持部の、手で握る部分は従来と同形でよいが、その把持部１の端部には股当て具２を連結一体化した形状に成っている、該股当て具２の部位は把持部１の上面よりも３ｃｍほど下方に落ち窪み段差があるため図２に示す如く股に宛がい易く、杖をあまり斜めにしなくても股当て具２が楽に股部に挟まり手を離しても確実に固定され杖の倒れを防止し立て掛けることができる、と同時に自分の体重を僅かに前方に乗せて行くと両足と杖とが自分の骨盤を支える三脚効果となって体重をバランス良く受け持ちながら上体のふらつきを抑え、全身をリラックスさせて安定した良い立ち姿勢を保ち、立ったままで休息することができる様にした。【０００８】  従来の杖では、何故自分の股部には立掛けられなかったのかを考えてみると、第一に自分の股下の長さよりも杖の長さの方が長いこと、一般に杖の長さは身長の１／２＋３ｃｍが目安となっている。第二は把持部の長さは手で握れる程度の１２ｃｍ〜１３ｃｍと短く、ゆるやかなウエーブをした略直線的な形状で表面は滑らかに仕上げられていること。
以上のことから把持部を股に宛がうと杖が斜めに成り過ぎること、把持部は短い上にズボンの布地に対して滑り易く、何の引っ掛かりも無く杖を確実に人体に立て掛けることは困難である、このために段落０００３、にて記載したような色々な特許文献等が発明、考案され続けてきた。【０００９】  また、第２の問題解決手段は、和服やタイトスカートの女性の場合には股当て具２を股部に宛がうことができないので図４に示す如く杖の把持部を直接自分の肩に掛けられる様にしたことである。図１に示すように把持部１の端部に股当て具２を連結一体化させた形状に成っているから把持部全体は長く大きくなっていることを利用して股当て具２の下面を肩掛け面６として肩に掛け易いような形状にするが、利用者が自分の体格に見合った大きさの股当て具２を選択できるよう数種類用意したい。【００１０】  また、肩に掛ける場合に着衣との滑りを少しでも無くそうとするならば肩掛け面６に滑り止め剤の塗布または、薄いゴム材の接着等を施せばより効果的であろう。この事はテーブル等の平面な処に掛ける場合にも、より効果を発揮するものである。
【発明の効果】
【００１１】  上述したように本発明の杖は、股部に宛がい易い構造にしたので、片手で瞬時に無理なく自分の股部に立掛けられる。【００１２】  股に宛がった杖に体重を適当に加えていくと自分の両足と杖とが骨盤を支える三脚効果によって上体のふらつきを抑え、全身から力が抜けて安定したリラックス感を得られ、立ったままで身体を休めることができる。
例えば、
散歩の途中で疲れた時。
ブック店で本を立ち読みする時。
行列などに並んで順番待ちをする時。
カメラのファインダーを覗き写真を撮る時。
スーパーマーケット等の買い物で原産地やレシピを読みたい時。
美術館や画廊で美術品を心行くまで腕組みをしてじっくりと鑑賞したい時。等々。【００１３】  また、和服やタイトスカートの場合には股に宛がうことはできないが自分の肩に杖の把持部全体を掛けることができるので杖の立掛け場所を探して、うろたえる事も無く何時も肌身離さず杖を保持することができる。
例えば、
銀行や病院の窓口で料金などを支払う時。
杖を使わないで歩きたい時や階段を昇降する時。
病院などの待合所で椅子に腰掛けているとき前を通る人の足の邪魔にならない。
車椅子に乗って自分の両腕で漕いでも肩に掛けた杖は常に安定していて外れない。【００１４】  また、把持部全体が長く大きくなったが歩行中に股当て具の部分が邪魔に感じられることは全く無いことがわかる、しかし最初のうちはスマートさに欠ける感じを持たれる場合も有るかも知れないが、従来の杖に比べて肩以外にも掛けられる場所が飛躍的に増えた。
【発明を実施するための最良の形態】
【００１５】  以下、本発明の実施の形態を図１〜図４に基づいて説明する。【００１６】  図に於いては、１は杖の把持部で、その把持部１の端部から伸びているのが股当て具２、該股当て具２の上面の湾曲部が股当て面５、下面が肩掛け面６であり、杖の支柱が３で該支柱３の先端ゴムが石突４である。【００１７】  以下、上記構成の使用法について説明する。杖を使用している手を他の事に使用したいと望む時や、立ったまま身体を休息させたい時は、股当て具２の股当て面５を図２、図３に示す如く股部に宛がう、股当て面５は図１の如く窪んだ湾曲面の受け形になっていると同時に把持部１の上面よりも一段低くなっているので片手で楽にワンタッチで、しかも、確実に股部に挟まり立掛けられて手を離しても倒れない。【００１８】  次に、自分の体重を股当て具２に乗せて行くと両足と杖との三脚効果によって骨盤が支えられ上体のふらつきが抑えられ全身から力が抜けてリラックス感が得られるので、立ったままで身体を休める事ができる。【００１９】  また、杖の支柱３の中心から股当て面５までの水平距離が離れているので該股当て面５に体重を加えた場合には把持部１を介して支柱３に曲げモーメントが作用し僅かながら支柱３に、たわみが生じる、これがクッション作用となって身体にソフトな感じの休息感が伝わってくる。但し折たたみ式杖の場合には上記の曲げモーメントに配慮して製作する必要がある。【００２０】  また、図１に於いては把持部１に対して股当て具２は別部品として描かれている、この場合の結合方法はネジ止め、又は接着等になるが、把持部１と股当て具２を一体として製作しても構わないが誤って杖を転倒させてしまうと股当て具２の先端部が傷ついたり欠けたりする心配があり端部は何らかの方法で補強しておく必要があろう。【００２１】  また、和服やタイトスカートを着用した人の場合は股に宛がうことができないが、図４のように肩に掛けることができる。把持部１と股当て具２の連結一体化によって把持部全体の長さが大きくなっているので股当て具２の下面を肩掛け面６として肩に掛け身体に保持することができる。
【図面の簡単な説明】
【００２２】
【００２３】
【図１】  本発明の実施形態を示す杖の把持部１と股当て具２の側面図
【図２】  同杖を股部に宛がって立掛けると同時に体重を僅かに乗せて立ったままでリラックスしながら読書をしている人物（着衣等省略）と杖の部分断面図
【図３】  同杖の図２における正面図
【図４】  同杖を肩に掛けたときの様子を示す杖と人物の斜視図
【符号の説明】
【００２４】  １  把持部
２  股当て具
５  股当て面
６  肩掛け面
【図１】
2008093397.tif 000003
【図２】
2008093397.tif 000004
【図３】
2008093397.tif 000005
【図４】
2008093397.tif 000006